(57)【要約】  本開示の実施形態は、概して、ＰＥＣＶＤチャンバ内で利用される金属シールドに関する。金属シールドは、基板支持部、及びシャフト部を含む。シャフト部は、或る肉厚を有する管状壁を含む。管状壁には、冷却剤チャネルの供給チャネルと、冷却剤チャネルの戻りチャネルと、が埋め込まれている。供給チャネルと戻りチャネルとのそれぞれは、管状壁の中にある螺旋状物である。螺旋状の供給チャネルと螺旋状の戻りチャネルとは、互いに回転方向が同じであり、互いに平行である。供給チャネルと戻りチャネルとが、管状壁において交互に配置されている。供給チャネルと戻りチャネルとが、金属シールドにおいて交互に配置されていることで、金属シールドにおける温度勾配が下げられる。【選択図】図４
2021527299.tif 000002
【特許請求の範囲】
【請求項１】
金属シールドであって、
金属板と、
管状壁を含む金属中空管と、
前記金属板において、及び前記金属中空管の前記管状壁において形成された冷却剤チャネルであって、
前記金属板における平面的な渦巻パターンと、前記金属中空管の前記管状壁における螺旋パターンと、を有する供給チャネル、及び、
前記金属板における平面的な渦巻パターンと、前記金属中空管の前記管状壁における螺旋パターンと、を有する戻りチャネル
を有し、
前記供給チャネルと前記戻りチャネルとが、前記金属板において及び前記管状壁において交互に配置されている、冷却剤チャネルと、
を備える、金属シールド。
【請求項２】
前記金属シールドが、アルミニウム、モリブデン、チタン、ベリリウム、銅、ステンレス鋼、又はニッケルから作製される、請求項１に記載の金属シールド。
【請求項３】
前記金属板及び前記金属中空管が単一の材料片である、請求項１に記載の金属シールド。
【請求項４】
前記金属板の表面に形成された複数の最小限の接触フィーチャをさらに含む、請求項１に記載の金属シールド。
【請求項５】
前記複数の最小限の接触フィーチャが、前記金属板に部分的に埋め込まれた複数のサファイアボールを含む、請求項４に記載の金属シールド。
【請求項６】
基板支持アセンブリであって、
加熱板と、
前記加熱板に対向する表面を有する断熱板と、
前記断熱板の前記表面に形成された第１の複数の接触低減フィーチャであって、前記加熱板は前記第１の複数の接触低減フィーチャに接触する、第１の複数の接触低減フィーチャと、
金属板、及び、金属製の管状壁を有する金属中空管を有する金属シールドであって、前記金属板は、前記断熱板に対向する表面を含む、金属シールドと、
前記金属板の前記表面に形成された第２の複数の接触低減フィーチャであって、前記断熱板は前記第２の複数の接触低減フィーチャに接触する、第２の複数の接触低減フィーチャと
を備える、基板支持アセンブリ。
【請求項７】
前記加熱板がセラミック材料から作製される、請求項６に記載の基板支持アセンブリ。
【請求項８】
前記断熱板が、セラミック材料から作製される、請求項７に記載の基板支持アセンブリ。
【請求項９】
前記断熱板が、酸化アルミニウム又は窒化アルミニウムから作製される、請求項８に記載の基板支持アセンブリ。
【請求項１０】
前記金属板において及び前記金属中空管の前記管状壁において形成された冷却剤チャネルをさらに含み、
前記冷却剤チャネルは、
前記金属板における平面的な渦巻パターンと、前記金属中空管の前記管状壁における螺旋パターンと、を有する供給チャネル、及び、
前記金属板における平面的な渦巻パターンと、前記金属中空管の前記管状壁における螺旋パターンと、を有する戻りチャネル
を有し、
前記供給チャネルと前記戻りチャネルとが、前記金属板において及び前記管状壁において交互に配置されている、請求項６に記載の基板支持アセンブリ。
【請求項１１】
処理チャンバであって、
チャンバ壁と、
底部と、
ガス分配プレートと、
基板支持アセンブリであって、
加熱板、
前記加熱板に対向する表面を有する断熱板、
前記断熱板の前記表面に形成された第１の複数の接触低減フィーチャであって、前記加熱板は前記第１の複数の接触低減フィーチャに接触する、第１の複数の接触低減フィーチャ、
金属板、及び、金属製の管状壁を有する金属中空管を有する金属シールドであって、前記金属板は、前記断熱板に対向する表面を含む、金属シールド、並びに、
前記金属板の前記表面に形成された第２の複数の接触低減フィーチャであって、前記断熱板は前記第２の複数の接触低減フィーチャに接触する、第２の複数の接触低減フィーチャ
を含む、基板支持アセンブリと、
を備える、処理チャンバ。
【請求項１２】
前記加熱板に埋め込まれた加熱要素をさらに備える、請求項１１に記載の処理チャンバ。
【請求項１３】
前記金属シールドはアルミニウムから作製される、請求項１１に記載の処理チャンバ。
【請求項１４】
前記第２の複数の接触低減フィーチャが、前記金属板に部分的に埋め込まれた複数のサファイアボールを含む、請求項１１に記載の処理チャンバ。
【請求項１５】
前記金属板において、及び前記金属中空管の前記管状壁において形成された冷却剤チャネルであって、
前記金属板における平面的な渦巻パターンと、前記金属中空管の前記管状壁における螺旋パターンと、を有する供給チャネル、及び、
前記金属板における平面的な渦巻パターンと、前記金属中空管の前記管状壁における螺旋パターンと、を有する戻りチャネル
を有し、
前記供給チャネルと前記戻りチャネルとが、前記金属板において及び前記管状壁において交互に配置されている、冷却剤チャネル
をさらに備える、請求項１３に記載の処理チャンバ。
【発明の詳細な説明】
【技術分野】
【０００１】
プラズマ化学気相堆積の実施形態は、概して、プラズマ化学気相堆積（ＰＥＣＶＤ）チャンバといった処理チャンバに関する。特に、本開示の実施形態は、ＰＥＣＶＤチャンバ内に配置された基板支持アセンブリに関する。
【背景技術】
【０００２】
プラズマ化学気相堆積（ＰＥＣＶＤ：ｐｌａｓｍａ  ｅｎｈａｎｃｅｄ  ｃｈｅｍｉｃａｌ  ｖａｐｏｒ  ｄｅｐｏｓｉｔｉｏｎ）は、半導体ウエハや透明基板などの基板に薄膜を堆積させるために使用される。ＰＥＣＶＤは通常、基板支持体に載置された基板を含む真空チャンバ内へと前駆体ガス又は混合ガスを導入することによって、実現される。前駆体ガス又は混合ガスは、典型的には、チャンバの上部付近に置かれた分配プレートを通して下向きに方向付けられる。チャンバ内の電極に、当該電極に接続された１つ以上の電源から、高周波（ＲＦ）電力などの電力を印加することによって、チャンバ内の前駆体ガス又は混合ガスが、エネルギーを与えられて（例えば励起されて）プラズマになる。励起されたガス又は混合ガスは、反応して、基板の表面上に材料の層を形成する。この層は、例えば、パッシベーション層、ゲート絶縁体、緩衝層、及び／又はエッチング停止層でありうる。
【０００３】
ＰＥＣＶＤの間に、主プラズマとしても知られる容量結合プラズマが、基板支持体とガス分配プレートとの間に形成される。しかしながら、二次的プラズマとしても知られる寄生プラズマが、チャンバのより低い空間において基板支持体の下方で生成されうる。寄生プラズマによって、容量結合プラズマの濃度が下がり、従って、容量結合プラズマの密度が下がり、このことによって膜の堆積速度が下がる。さらに、チャンバ間での寄生プラズマの濃度及び密度の変動によって、別々のチャンバ内で形成される膜の間での均一性が下がる。
【０００４】
従って、寄生プラズマの生成を低減するために、改良された基板支持アセンブリが必要とされている。
【発明の概要】
【０００５】
本開示の実施形態は、概して、ＰＥＣＶＤチャンバ内で利用される金属シールドに関する。一実施形態において、金属シールドは、金属板と、管状壁を含む金属中空管と、金属板において及び金属中空管の管状壁において形成された冷却剤チャネルと、を含む。冷却剤チャネルは、金属板における平面的な渦巻パターンと、金属中空管の管状壁における螺旋パターンと、を有する供給チャネルを含む。冷却剤チャネルは、金属板における平面的な渦巻パターンと、金属中空管の管状壁における螺旋パターンと、を有する戻りチャネルをさらに含む。供給チャネルと戻りチャネルとが、金属板において及び管状壁において交互に配置されている。
【０００６】
他の実施形態において、基板支持アセンブリが、加熱板と、当該加熱板に対向する表面を有する断熱板と、断熱板の表面に形成された第１の複数の接触低減フィーチャ（特徴部位）と、を含む。加熱板は、第１の複数の接触低減フィーチャに接触する。基板支持アセンブリは、金属板と、金属製の管状壁を有する金属中空管と、を含む金属シールドを更に含む。金属板は、断熱板に対向する表面を含み、第２の複数の接触低減フィーチャが、金属板の表面に形成される。断熱板は、第２の複数の接触低減フィーチャに接触する。
【０００７】
他の実施形態において、処理チャンバが、チャンバ壁と、底部と、ガス分配プレートと、基板支持アセンブリと、を備える。基板支持アセンブリは、加熱板と、当該加熱板に対向する表面を有する断熱板と、断熱板の表面に形成された第１の複数の接触低減フィーチャと、を含む。加熱板は、第１の複数の接触低減フィーチャに接触する。基板支持アセンブリは、金属板と、金属製の管状壁を有する金属中空管と、を含む金属シールドを更に含む。金属板は、断熱板に対向する表面を含み、第２の複数の接触低減フィーチャが、金属板の表面に形成される。断熱板は、第２の複数の接触低減フィーチャに接触する。
【０００８】
本開示の上記の特徴を詳細に理解することができるように、上記で簡単に要約した本開示のより具体的な説明を、実施形態を参照することによって行うことができ、そのいくつかを添付の図面に示す。しかしながら、添付の図面は例示的な実施形態を示しているのにすぎず、従って、その範囲を限定するものと見做すべきではなく、他の同等に有効な実施形態を許容しうることに注意されたい。
【図面の簡単な説明】
【０００９】
【図１】一実施形態に係る基板支持アセンブリを含む処理チャンバの断面図である。
【図２Ａ】図１の基板支持アセンブリの概略的な断面図である。
【図２Ｂ】図１の基板支持アセンブリの金属シールドの一部の概略的な断面図である。
【図３Ａ】図１の基板支持アセンブリの断熱板の上面図である。
【図３Ｂ】図１の基板支持アセンブリの断熱板の底面図である。
【図４】図１の基板支持アセンブリの金属シールドの斜視図である。
【発明を実施するための形態】
【００１０】
理解を容易にするため、可能な場合には、複数の図に共通する同一の要素を示すのに同一の参照番号を使用した。１の実施形態の要素及び特徴は、更なる記述がなくとも、他の実施形態に有益に組み込まれ得ると想定されている。
【００１１】
本開示の実施形態は、概して、ＰＥＣＶＤチャンバ内で利用される金属シールドに関する。金属シールドは、基板支持部、及びシャフト部を含む。シャフト部は、或る肉厚を有する管状壁を含む。管状壁には、冷却剤チャネルの供給チャネルと、冷却剤チャネルの戻りチャネルと、が埋め込まれている。供給チャネルと戻りチャネルのそれぞれは、管状壁の中にある螺旋状物である。螺旋状の供給チャネルと螺旋状の戻りチャネルとは、回転方向が互いに同じであり、互いに平行である。供給チャネルと戻りチャネルとは、管状壁において交互に配置されている。供給チャネルと戻りチャネルとが金属シールドにおいて交互に配置されていることで、金属シールドにおける温度勾配が下げられる。
【００１２】
本明細書の実施形態について、カリフォルニア州Ｓａｎｔａ  ＣｌａｒａのＡｐｐｌｉｅｄ  Ｍａｔｅｒｉａｌｓ、Ｉｎｃ．から入手可能なＰＥＣＶＤシステムなどの、基板を処理するよう構成されたＰＥＣＶＤシステム内での使用に言及しつつ、以下で例示的に説明する。しかしながら、開示される発明の主題は、エッチングシステム、他の化学気相堆積システム、及び、処理チャンバの中で基板がプラズマに曝露される他の任意のシステムといった、その他のシステム構成における有用性も有すると理解されたい。さらに、本明細書で開示される実施形態が、他の製造業者が提供する処理チャンバ、及び、様々な形状の基板を使用するチャンバを使用して実施されうると理解されたい。本明細書で開示される実施形態は、様々なサイズ及び寸法の基板を処理するよう構成された他の処理チャンバ内での実施のために適合されうると理解されたい。
【００１３】
図１は、本明細書に記載の一実施形態に係る基板支持体アセンブリ１２８を備える処理チャンバ１００の断面図である。図１の例において、処理チャンバ１００はＰＥＣＶＤチャンバである。図１に示すように、処理チャンバ１００は、１つ以上の壁１０２と、底部１０４と、ガス分配プレート１１０と、基板支持アセンブリ１２８と、を含む。壁１０２と、底部１０４と、ガス分配プレート１１０と、基板支持アセンブリ１２８とが一緒に、処理空間１０６を画定する。処理空間１０６には、壁１０２に貫通して形成されたシール可能なスリットバルブ開口１０８を通じてアクセスされ、これにより、基板１０５が、処理チャンバ１００を出入りするよう移送されうる。
【００１４】
基板支持体１２８は、基板支持部１３０、及びシャフト部１３４を含む。シャフト部１３４は、基板支持アセンブリ１２８を上げ下げするよう適合されたリフトシステム１３６に結合されている。基板支持部１３０は、基板１０５を支持するための基板受容面１３２を含む。基板受容面１３２へと及び基板受容面１３２から基板１０５を動かして基板の移送を容易にするために、リフトピン１３８が、基板支持部１３０を貫通して可動的に配置されている。基板支持部１３０は、基板支持部１３０の周縁に、ＲＦ接地を設けるための帯電防止ストラップ１２９又は１５１も含みうる。基板支持アセンブリ１２８については、図２Ａ〜図２Ｃで詳細に記載する。
【００１５】
一実施形態において、ガス分配プレート１１０は、外周において懸架部１１４によってバッキング板１１２に結合される。他の実施形態において、バッキング板１１２が存在せず、ガス分配プレート１１０が壁１０２に結合される。ガス源１２０が、入口ポート１１６を通じて、バッキング板１１２（又はガス分配プレート）に結合される。ガス源１２０は、ガス分配プレート１１０に形成された複数のガス通路１１１を通じて、処理空間１０６に一種以上のガスを提供しうる。適切なガスには、ケイ素含有ガス、窒素含有ガス、酸素含有ガス、不活性ガス、又は、他のガスが含まれうるが、これらに限定されない。
【００１６】
処理空間１０６の中の圧力を制御するために、真空ポンプ１０９がチャンバ１００に結合される。ガス分配プレート１１０にＲＦ電力を供給するために、ＲＦ電源１２２が、バッキング板１１２に結合され、及び／又は、ガス分配プレート１１０に直接的に結合される。ＲＦ電源１２２は、ガス分配プレート１１０と基板支持体１２８との間に電場を生成しうる。上記電場が、ガス分配プレート１１０と基板支持体１２８との間に存在するガスからプラズマを形成しうる。様々なＲＦ周波数が使用されうる。例えば、周波数は、約０．３ＭＨｚと約２００ＭＨｚとの間、例えば約１３．５６ＭＨｚであってよい。
【００１７】
誘導結合遠隔プラズマ源といった遠隔プラズマ源１２４も、ガス源１２０と入口ポート１１６との間に結合されうる。基板処理と基板処理との間に、遠隔プラズマ源１２４に洗浄ガスが供給されうる。洗浄ガスは、遠隔プラズマ源１２４の中で励起されてプラズマになり、遠隔プラズマを形成しうる。遠隔プラズマ源１２４によって生成された励起種は、チャンバ部品を洗浄するために、処理チャンバ１００内へと供給されうる。洗浄ガスは、解離した洗浄ガス種の再結合を低減するために、ＲＦ電源１２２によって更に励起されうる。適切な洗浄ガスにはＮＦ３、Ｆ２、及びＳＦ６が含まれるが、これらに限定されない。
【００１８】
チャンバ１００は、ケイ素含有材料といった材料を堆積させるために使用されうる。例えば、チャンバ１００は、アモルファスシリコン（ａ−Ｓｉ）、窒化ケイ素（ＳｉＮｘ）、及び／又は、酸化ケイ素（ＳｉＯｘ）の、１つ以上の層を堆積させるために使用されうる。
【００１９】
図２Ａは、本明細書に記載の一実施形態に係る図１の基板支持アセンブリ１２８の概略的な断面図である。図２Ａに示すように、基板支持体１２８は、基板支持部１３０、及びシャフト部１３４を含む。基板支持部１３０は、加熱板２０２、及び断熱板２０４を含む。加熱板２０２は、酸化アルミニウム又は窒化アルミニウムといったセラミック材料で作製されうる。一実施形態において、加熱板２０２は、陽極酸化アルミニウムから製造される。加熱要素２１４が、その上に載置された（図１に示すような）基板１０５を作業中に所定の温度まで加熱するために、加熱板２０２に埋め込まれている。一実施形態において、（図１に示すような）基板１０５が、加熱板２０２によって、処理中に５００℃を超える温度まで加熱される。断熱板２０４は、酸化アルミニウム又は窒化アルミニウムといったセラミック材料から形成されている。一実施形態において、断熱板２０４は、酸化アルミニウムから作製される。シャフト部１３４は、加熱板２０２に接続された胴部２０６を含む。胴部２０６は中空管であり、加熱板２０２と同じ材料から作製されうる。一実施形態において、胴部２０６及び加熱板２０２は、単一の材料片から作製される。胴部２０６は連結部２１６に接続されており、連結部２１６自体は、リフトシステム１３６に接続されている。
【００２０】
基板支持アセンブリ１２８は、金属シールド２０８をさらに含む。金属シールド２０８は、シャフト部２１２により支持された基板支持部２１０を含む。基板支持部２１０は、基板支持アセンブリ１２８の基板支持部１３０の構成要素であり、シャフト部２１２は、基板支持アセンブリ１２８のシャフト部１３４の構成要素である。一実施形態において、金属シールド２０８の基板支持部２１０は金属板であり、金属シールド２０８のシャフト部２１２は金属中空管である。金属シールド２０８の基板支持部２１０及びシャフト部２１２は、アルミニウム、モリブデン、チタン、ベリリウム、銅、ステンレス鋼、又はニッケルといった金属から作製される。一実施形態において、金属シールド２０８の基板支持部２１０及びシャフト部２１２は、アルミニウムから作製される。なぜならば、アルミニウムは、フッ素含有種といった洗浄種によって劣化しないからである。他の実施形態において、基板支持部２１０は、ステンレス鋼から作製される。一実施形態において、金属シールド２０８の基板支持部２１０とシャフト部２１２とは、任意の適切な接合方法で接合された別個の部品である。他の実施形態において、金属シールド２０８の基板支持部２１０及びシャフト部２１２は、単一の材料片である。
【００２１】
金属シールド２０８は、ＰＥＣＶＤプロセスの間、帯電防止ストラップ１２９又は１５１を介して接地される。接地された金属シールド２０８は、寄生プラズマの生成を実質的に低減しうるＲＦシールドとして機能しうる。一実施形態において、金属シールド２０８はアルミニウムから作製される。なぜならば、アルミニウムは、金属汚染に寄与せず、洗浄プロセス中に形成されるフッ素含有種に対して耐性を有するからである。しかしながら、アルミニウムから作製された金属シールド２０８の機械的及び電気的特性は、５００℃より高い処理温度では衰えうる。従って、金属シールド２０８が、５００℃付近又は５００℃を超える温度での利用のために意図された適用においては、金属シールド２０８は、冷却剤チャネル２２２といった、金属シールド２０８内に形成された冷却要素を含む。
【００２２】
金属シールド２０８のシャフト部２１２は管状壁２２３を含み、冷却剤チャネル２２２が、管状壁２２３において及び基板支持部２１０において形成される。冷却剤チャネル２２２は、供給チャネル２２４、及び戻りチャネル２２６を含む。供給チャネル２２４と戻りチャネル２２６とのそれぞれは、管状壁２２３の中にある螺旋状物である。管状壁２２３において形成された螺旋状の供給チャネル２２４と螺旋状の戻りチャネル２２６とは、回転方向が互いに同じであり、互いに平行である。螺旋状の供給チャネル２２４と螺旋状の戻りチャネル２２６とは、管状壁２２３において交互に位置づけられている。言い換えると、螺旋状の供給チャネル２２４と螺旋状の戻りチャネル２２６とは、管状壁２２３において交互に配置されている。基板支持部２１０において形成された供給チャネル２２４及び戻りチャネル２２６は、平面的な渦巻パターンを有し、渦巻状の供給チャネル２２４と渦巻状の戻りチャネル２２６とが、基板支持部２１０において交互に位置している。言い換えると、渦巻状の供給チャネル２２４と渦巻状の戻りチャネル２２６とは、基板支持部２１０において交互に配置されている。供給チャネル２２４と戻りチャネル２２６とが、金属シールド２０８において交互に位置づけられ又は交互に配置されることで、金属シールド２０８における温度勾配が下げられる。
【００２３】
断熱板２０４は、作業中に金属シールド２０８を加熱板２０２より低い温度に保つために、加熱板２０２と金属シールド２０８の基板支持部２１０との間に配置されている。加えて、断熱チューブ２１５が、胴部２０６から金属シールド２０８のシャフト部２１２の熱伝達を低減するために、胴部２０６と、金属シールド２０８のシャフト部２１２と、の間に配置されている。さらに、接触低減フィーチャ２１８、２２０が、加熱板２０２と断熱板２０４との間の界面、及び、断熱板２０４と金属シールド２０８の基板支持部２１０との間の界面でそれぞれ利用される。接触低減フィーチャ２１８、２２０によって接触が制限され、従って、作業中の、加熱板２０２から金属シールド２０８への熱伝導による伝熱が制限される。接触低減フィーチャ２１８は、断熱板２０４の表面２３４から延在し、表面２３４は加熱板２０２に対向している。断熱板２０４はさらに、表面２３４とは反対側の下面２３２を有する。接触低減フィーチャ２２０が、金属シールド２０８の基板支持部２１０の表面２３０に載置され又は当該表面において配置されており、表面２３０は断熱板２０４に対向している。加熱板２０２は、接触低減フィーチャ２１８と接触しており、間隙Ｇ１が、加熱板２０２と断熱板２０４の表面２３４との間に形成される。断熱板２０４は、接触低減フィーチャ２２０と接触しており、間隙Ｇ２が、断熱板２０４の表面２３２と、金属シールド２０８の基板支持部２１０の表面２３０と、の間に形成される。
【００２４】
図２Ｂは、本明細書に記載の一実施形態に係る図１の基板支持アセンブリ１２８の金属シールド２０８の一部の概略的な断面図である。図２Ｂに示すように、接触低減フィーチャ２２０は、金属シールド２０８の基板支持部２１０に部分的に埋め込まれたボールである。接触低減フィーチャ２２０は、サファイヤといった断熱材料から作製されうる。接触低減フィーチャ２２０の数及びパターンは、加熱板２０２からの熱損失の低減をもたらすよう決定される。一実施形態において、３個の接触低減フィーチャ２２０が利用され、３個の接触低減フィーチャ２２０は、正三角形を形成するようパターン化される。接触低減フィーチャ２２０は、ピラミッド形状、円筒形状、又は円錐形状といった、球状とは異なる形状であってよい。
【００２５】
図３Ａは、本明細書に記載の一実施形態に係る、図１の基板支持アセンブリ１２８の断熱板２０４の上面図である。図３Ａに示すように、断熱板２０４は、（図２Ａに示す）胴部２０６がそれを通って延在する開口３０２を含む。断熱板２０４は、リフトピン１３８がそれを通って貫通する複数のリフトピン孔３０４をさらに含む。複数の接触低減フィーチャ２１８が、断熱板２０４の表面２３４から延びて形成されている。接触低減フィーチャ２１８は、例えば酸化アルミニウム又は窒化アルミニウム等のセラミック材料とった、断熱材料から作製されうる。一実施形態において、接触低減フィーチャ２１８は、断熱板２０４の表面２３４に形成された突出部である。突出部は、球状、円筒形状、ピラミッド形状、又は円錐形状といった、任意の適切な形状であってよい。一実施形態において、各突出部は円筒形状である。一実施例において、表面２３４から延びる各接触低減フィーチャ２１８の高さは間隙Ｇ１と同じである。接触低減フィーチャ２１８の数及びパターンは、加熱板２０２からの熱損失の低減をもたらすよう選択される。一実施形態において、図３Ａに示すように、接触低減フィーチャ２１８はハニカムパターンを有する。断熱板２０４の表面２３４において又は当該表面２３４上に形成される接触低減フィーチャ２１８の数の範囲は約３０から約１２０であり、又は、別様に所望のとおりの範囲である。
【００２６】
図３Ｂは、本明細書に記載の一実施形態に係る図１の基板支持アセンブリ１２８の断熱板２０４の底面図である。図３Ｂに示すように、断熱板２０４は、開口３０２、及び、リフトピン孔３０４を含む。複数の凹部３０６が、断熱板２０４の表面２３２に形成されている。凹部３０６は、金属シールド２０８の基板支持部２１０において又は当該基板支持部２１０上に形成された対応する最小限の接触フィーチャ２２０を収容するよう配置されている。従って、凹部３０６の数及びパターンは、最小限の接触フィーチャ２２０の数及びパターンと同じである。
【００２７】
図４は、本明細書に記載の一実施形態に係る、図１の基板支持体１２８の金属シールド２０８の斜視図である。図４に示すように、金属シールド２０８は、基板支持部２１０又は金属板と、基板支持部２１０に結合されたシャフト部２１２又は金属中空管と、を含む。金属シールド２０８は、当該金属シールド２０８に形成された冷却剤チャネル２２２を含む。冷却剤チャネル２２２は、供給チャネル２２４、及び、戻りチャネル２２６を含む。供給チャネル２２４は、基板支持部２１０における平面的な渦巻パターンと、シャフト部２１２における螺旋パターンと、を有する。同様に、戻りチャネル２２６は、基板支持部２１０における平面的な渦巻パターンと、シャフト部２１２における螺旋パターンと、を有する。
【００２８】
作業中に、水、エチレングリコール、パーフルオロポリエーテルといったフッ素物流体、又は、これらの組み合わせ等の冷却剤が、供給チャネル２２４から戻りチャネル２２６へと流れる。戻りチャネル２２６は、基板支持部２１０内の或る位置で、供給チャネル２２４に流体連結している。供給チャネル２２４は、基板支持部２１０及びシャフト部２１２において、戻りチャネル２２６に対して実質的に平行である。さらに、シャフト部２１２に形成された螺旋状の供給チャネル２２４と螺旋状の戻りチャネル２２６とは、回転方向が同じである。螺旋状の供給チャネル２２４と螺旋状の戻りチャネル２２６とが、シャフト部２１２において交互に配置されており、渦巻状の供給チャネル２２４と渦巻状の戻りチャネル２２６とが、基板支持部２１０において交互に配置されている。供給チャネル２２４と戻りチャネル２２６とが金属シールド２０８において交互に配置されることで、金属シールド２０８における温度勾配が下げられる。
【００２９】
以上の説明は本開示の実施形態を対象としているが、本開示の基本的な範囲から逸脱することなく本開示の他の実施形態及び更なる実施形態が考案されてもよく、本開示の範囲は、以下の特許請求の範囲によって定められる。
【図１】
2021527299.tif 000003
【図２Ａ】
2021527299.tif 000004
【図２Ｂ】
2021527299.tif 000005
【図３Ａ】
2021527299.tif 000006
【図３Ｂ】
2021527299.tif 000007
【図４】
2021527299.tif 000008
【国際調査報告】
2021527299.tif 000009
2021527299.tif 000010